(57)【要約】【課題】真空遮断器の実行位置を迅速かつ正確に把握することができる真空遮断器の引込／引出位置表示装置を提供する。【解決手段】真空遮断器の引込／引出位置表示装置は、固定体であるガーダーと可動体である台車本体間に設置され、前記ガーダーと前記台車本体間の間隔変化に応じて所定角度回転する位置表示カムと、前記位置表示カムが回転可能に結合され、該位置表示カムが遮断器本体の引込／引出位置を表示するように標識記号が備えられる位置表示部材とを含む。【選択図】図４
2010213567.tif 000002
【特許請求の範囲】
【請求項１】
固定体であるガーダーと可動体である台車本体間に設置され、前記ガーダーと前記台車本体間の間隔変化に応じて所定角度回転する位置表示カムと、
前記位置表示カムが回転可能に結合され、該位置表示カムが遮断器本体の引込／引出位置を表示するように標識記号が備えられる位置表示部材と、
を含むことを特徴とする真空遮断器の引込／引出位置表示装置。
【請求項２】
前記位置表示カムは、長手方向に沿って所定区間毎に回転できるように形成される、請求項１に記載の真空遮断器の引込／引出位置表示装置。
【請求項３】
前記位置表示カムは、
前記台車本体により回転が拘束されるように案内部が形成され、
該案内部は、前記位置表示カムの長手方向に沿って形成される複数の第１案内部と、前記第１案内部間に形成されて前記第１案内部が位相差を有するように傾斜して連結する少なくとも１つの第２案内部とからなる、請求項２に記載の真空遮断器の引込／引出位置表示装置。
【請求項４】
前記台車本体には、前記位置表示カムの案内部が挿入されて摺動しながら回転するようにカムホルダーが結合される、請求項３に記載の真空遮断器の引込／引出位置表示装置。
【請求項５】
前記カムホルダーには、前記位置表示カムが挿入されて摺動するように摺動部が貫通形成され、該摺動部の内周面には、前記位置表示カムの案内部に結合されて回転を拘束する拘束部が形成される、請求項４に記載の真空遮断器の引込／引出位置表示装置。
【請求項６】
前記カムホルダーには、前記台車本体にフック結合されるように固定部が形成される、請求項４に記載の真空遮断器の引込／引出位置表示装置。
【請求項７】
前記固定部は、複数の固定片が円周方向に沿って分割されて形成され、前記各固定片の外周面には係止突起が形成される、請求項６に記載の真空遮断器の引込／引出位置表示装置。
【請求項８】
前記位置表示カムは、前記ガーダーと前記台車本体が完全に分離する位置に到達しても、両端が前記ガーダーと前記台車本体間に結合された状態を維持できる程度の長さを有する、請求項１に記載の真空遮断器の引込／引出位置表示装置。
【請求項９】
前記位置表示カムは、その位置表示カムが長手方向に拘束されるように複数の固定突部が所定の間隔を置いて形成され、前記固定突部は、前記ガーダーに挿入される部位においてそのガーダーに備えられる前方板と後方板の対向面にそれぞれ密着するように形成される、請求項８に記載の真空遮断器の引込／引出位置表示装置。
【請求項１０】
前記位置表示カムには、前記ガーダーの前面に露出する端部表面に現在の遮断器の位置を認知できるようにする表示部が形成される、請求項８に記載の真空遮断器の引込／引出位置表示装置。
【発明の詳細な説明】
【技術分野】
【０００１】
本発明は、真空遮断器の引込／引出位置表示装置に関し、特に、真空遮断器を収納するクレードル装置において移動する真空遮断器の位置を迅速かつ正確に把握できる真空遮断器の引込／引出位置表示装置に関する。
【背景技術】
【０００２】
一般に、真空遮断器は、引出型と固定型に大別される。遮断器本体のみがあって、配電盤パネル内に位置が固定される固定型遮断器と、遮断器のメンテナンスが容易になるようにクレードルと称される外箱があって、遮断器本体のみが引込み／引出しできる引込／引出遮断器とに分けられる。
【０００３】
ここで、引込／引出真空遮断器は、発電所や変電所などの運転や制御、電動機の運転などのために遮断器を含む様々な電気機器を設置して管理する配電盤において使用される。また、真空遮断器は、配電盤に固定されたクレードルに収納されて使用され、真空遮断器の母線と負荷ターミナルがクレードルの母線と負荷端子に接続されて電圧と電流が供給される運転（ＲＵＮ）位置とクレードルの端子から分離されて遮断器の動作テストのみ可能なＴＥＳＴ位置とを有する。
【０００４】
作業者が真空遮断器の本体をクレードルからＴＥＳＴ位置に移動するためには、まず前記本体に備えられたインターロックリンクを上方に持ち上げると同時に、遮断器を押してクレードルに備えられたインターロックプレートのＴＥＳＴ位置決定溝に前記インターロックリンクが係止されるようにする。このような位置は、遮断器の母線と負荷ターミナルがクレードルの母線と負荷端子から分離された位置であり、真空遮断器の動作テストのみが可能となる。ここで、作業者は、クレードルのインターロックプレートの上面に位置する表示ステッカーのＴＥＳＴ位置という文字を見て本体の該当位置を判別することができる。
【０００５】
また、作業者は、真空遮断器のＴＥＳＴ位置から、真空遮断器の母線と負荷ターミナルをクレードルの母線と負荷端子に接続して電流が遮断器に供給されるようにするＲＵＮ位置に変更することができる。ここで、作業者は、インターロックリンクを上方に持ち上げてＴＥＳＴ位置決定溝から分離し、また遮断器本体をクレードル端子方向に押して遮断器を移動させる。インターロックリンクがクレードルの運転位置決定溝に入ると、遮断器はクレードルの運転位置に位置する。遮断器本体が運転位置に移動した後、作業者は、クレードルのインターロックプレートの上面に位置する表示ステッカーの運転位置という文字を見て該当位置を判別することができる。
【０００６】
ここで、真空遮断器の本体は、クレードルの母線端子及び負荷端子とそれぞれ接触できるように複数の接触子及び真空インタラプタなどを備え、事故電流の発生時に母線側と負荷側を互いに遮断する主回路部、該主回路部を駆動させる駆動部、及び主回路部と駆動部を移動させるための台車部を含む。
【発明の概要】
【発明が解決しようとする課題】
【０００７】
このような従来のクレードルと真空遮断器は、クレードルのインターロックプレートの上面に該当位置を表示する文字ステッカーを貼り付け、作業者が真空遮断器を該当位置（運転又はテスト）に移動した状態で前記位置に貼り付けられている文字ステッカーを見て遮断器の位置を判別する。従って、真空遮断器の位置を迅速かつ正確に把握することが困難であるという問題があった。
【０００８】
本発明は、前述したような従来技術の問題を解決するためのものであり、本発明の目的は、真空遮断器の位置を迅速かつ正確に把握できる真空遮断器の引込／引出位置表示装置を提供することにある。
【課題を解決するための手段】
【０００９】
このような目的を達成するために、本発明による真空遮断器の引込／引出位置表示装置は、固定体であるガーダーと可動体である台車本体間に設置され、前記ガーダーと前記台車本体間の間隔変化に応じて所定角度回転する位置表示カムと、前記位置表示カムが回転可能に結合され、該位置表示カムが遮断器本体の引込／引出位置を表示するように標識記号が備えられる位置表示部材とを含む。
【００１０】
ここで、前記位置表示カムは、長手方向に沿って所定区間毎に回転できるように形成される。
【００１１】
さらに、前記位置表示カムは、前記台車本体により回転が拘束されるように案内部が形成され、該案内部は、前記位置表示カムの長手方向に沿って形成される複数の第１案内部と、前記第１案内部間に形成されて前記第１案内部が位相差を有するように傾斜して連結する少なくとも１つの第２案内部とからなる。
【００１２】
一方、前記台車本体には、前記位置表示カムの案内部が挿入されて摺動しながら回転するようにカムホルダーが結合される。
【００１３】
前記カムホルダーには、前記位置表示カムが挿入されて摺動するように摺動部が貫通形成され、該摺動部の内周面には、前記位置表示カムの案内部に結合されて回転を拘束する拘束部が形成される。また、前記カムホルダーには、前記台車本体にフック結合されるように固定部が形成される。
【発明の効果】
【００１４】
本発明により、作業者は、前記遮断器本体をクレードルに引き込んだり、クレードルから引き出すとき、その遮断器本体の位置をリアルタイムで判別することができるため、真空遮断器の実行位置を迅速かつ正確に把握することができる。
【図面の簡単な説明】
【００１５】
【図１】本発明による引込／引出位置表示装置が備えられた台車を示す斜視図である。
【図２】本発明による引込／引出位置表示装置が備えられた台車を示す斜視図である。
【図３】図１に示す台車において台車本体がガーダーから遠ざかったときの引込／引出位置表示装置の状態を示す斜視図である。
【図４】図１に示す引込／引出位置表示装置の要部を分解して示す斜視図である。
【図５】図１に示す引込／引出位置表示装置の動作のうち「ＴＥＳＴ」状態を示す図である。
【図６】図１に示す引込／引出位置表示装置の動作のうち「ＲＡＣＫ」状態を示す図である。
【図７】図１に示す引込／引出位置表示装置の動作のうち「ＲＵＮ」状態を示す図である。
【発明を実施するための形態】
【００１６】
以下、本発明による真空遮断器の引込／引出位置表示装置の好ましい実施形態について添付図面を参照して説明する。この過程で、図面に示す線の太さや構成要素のサイズなどは説明の明瞭性及び便宜のために誇張して示すこともある。また、以下に説明する用語は、本発明における機能を考慮して定義された用語であり、これは使用者、運用者の意図又は慣例によって異なることもある。従って、このような用語は、本明細書全般の内容に基づいて定義されるべきである。
【００１７】
以下の実施形態は本発明の権利範囲を限定するものではなく、本発明の特許請求の範囲に示された本発明の構成要素の単なる例示にすぎず、本発明の特許請求の範囲内で行われるあらゆる変更及び変形、並びに特許請求の範囲の均等物は本発明の特許請求の範囲に含まれる。
【００１８】
図１及び図２は、本発明による引込／引出位置表示装置が備えられた台車を示す斜視図であり、図３は、図１に示す台車において台車本体がガーダーから遠ざかったときの引込／引出位置表示装置の状態を示す斜視図であり、図４は、図１に示す引込／引出位置表示装置の要部を分解して示す斜視図であり、図５〜図７は、図１に示す引込／引出位置表示装置の動作を示す図である。
【００１９】
図１〜図４を参照すると、本発明の一実施形態による真空遮断器の引込／引出位置表示装置は、固定体であるガーダー１０と可動体である台車本体２０間に設置される位置表示カム１１０と、位置表示カム１１０が挿入されて摺動するように台車本体２０に備えられてガーダー１０と台車本体２０間の間隔変化に応じて位置表示カム１１０を所定角度回転させるカムホルダー１２０と、位置表示カム１１０が回転可能に結合されて該位置表示カム１１０が前記遮断器本体とクレードル間の引込／引出位置を表示するように標識記号が備えられる位置表示部材１３０とからなる。
【００２０】
位置表示カム１１０は、前記遮断器本体が完全に引出される時点、すなわち、ガーダー１０と台車本体２０が完全に分離される位置に到達しても両端がガーダー１０と台車本体２０間に結合された状態を維持できる程度の長さを有する長い棒状に形成される。
【００２１】
位置表示カム１１０には、位置表示カム１１０の一側部、すなわち、ガーダー１０に挿入される部位に、ガーダー１０の前方板と後方板の対向面にそれぞれ密着して位置表示カム１１０が長手方向に拘束されるように複数の固定突部１１１、１１２が所定の間隔を置いて形成される。
【００２２】
位置表示カム１１０には、前方面、すなわち、ガーダー１０の前方板の前面に露出する端部表面に現在の遮断器の位置を認知させる表示部１１３が形成される。表示部１１３には、位置表示部材１３０の標識記号と組み合わせることができるように、図示されているような矢印が表示されてもよく、点又はその他の表示可能な形状が表示されてもよい。
【００２３】
位置表示カム１１０には、固定突部１１１、１１２のうち後方側に位置する固定突部１１２から後方側の端部まで長手方向に沿って案内部１１４が形成される。案内部１１４は、カムホルダー１２０に結合されて位置表示カム１１０が所定区間毎に回転できるようにする。また、案内部１１４は、図示されているように、複数の長手方向突起がＶ字状の断面形状を有するように形成される。
【００２４】
案内部１１４は、位置表示カム１１０の長手方向に沿って形成される複数の第１案内部と、前記第１案内部間に形成されて第１案内部が位相差を有するように傾斜して連結する少なくとも１つの第２案内部とからなる。
【００２５】
前記第１案内部は、前記遮断器本体が「ＴＥＳＴ位置」に到達した状態を示すテスト区間１１４ａと、前記遮断器本体が「ＴＥＳＴ位置」から「ＲＵＮ位置」に移動する状態を示すＲＡＣＫ区間１１４ｂと、前記遮断器本体が「ＲＵＮ位置」に到達した状態を示すＲＵＮ区間１１４ｃとに区分される。
【００２６】
前記第２案内部は、前記遮断器本体がテスト区間１１４ａからＲＡＣＫ区間１１４ｂに移動するときの位置表示カム１１０の位相変化、すなわち、所定の角度で回転できるようにする第１可変区間１１４ｄと、ＲＡＣＫ区間１１４ｂからＲＵＮ区間１１４ｃに移動するときに再び回転できるようにする第２可変区間１１４ｅとに区分される。
【００２７】
カムホルダー１２０には、環状に形成される本体部１２１と、本体部１２１の一側面に突設されて台車本体２０に備えられる孔にフック挿入されて固定される固定部１２２とが形成される。固定部１２２は、本体部１２１の円周方向に沿って複数の固定片が分割されて形成され、各固定片の外周面には係止突起が形成される。
【００２８】
また、本体部１２１には、位置表示カム１１０が挿入されて摺動するように貫通した摺動部１２３が形成され、摺動部１２３の内周面の一部には位置表示カム１１０の案内部１１４が挿入されて回転することを防止できるように、くさび状の拘束部１２４が突設される。
【００２９】
ここで、カムホルダー１２０及び位置表示カム１１０は、プラスチック材質のように摩耗を防止できる材質で形成されることが好ましい。
【００３０】
一方、位置表示部材１３０は、プレートのように所定の剛性を有するように形成することもできるが、ガーダー１０の前方面の前面に貼り付けられるステッカーとして形成することもできる。また、位置表示部材１３０の中央には、位置表示カム１１０の表示部１１３が貫通できるように貫通孔１３１が形成される。また、貫通孔１３１の周辺には「ＴＥＳＴ」、「ＲＡＣＫ」、「ＲＵＮ」のように前記標識記号が表記される。
【００３１】
説明していない符号である３０及び４０は、台車本体を移動させるための主ネジ及びナット組立体であり、５０は、駆動用ハンドルである。
【００３２】
以下、このような本発明による真空遮断器の引込／引出位置表示装置の動作について説明する。
【００３３】
まず、作業者が遮断器本体をクレードルからＴＥＳＴ位置に移動させるためには、前記遮断器本体に備えられたインターロックリンク（図示せず）を上方に持ち上げると同時に、前記遮断器本体を押してクレードルに備えられたインターロックプレート（図示せず）のＴＥＳＴ位置決定溝にインターロックリンクを係止させる。そうすると、前記遮断器本体の母線ターミナル及び負荷ターミナルがクレードルの母線及び負荷端子から分離されて真空遮断器の動作テストのみが可能となる。ここで、ガーダー１０が台車本体２０に近接する位置、すなわち、カムホルダー１２０が位置表示カム１１０の第１案内部のテスト区間１１４ａ内に位置する。そうすると、位置表示カム１１０の表示部１１３の矢印が位置表示部材１３０の標識記号のうち「ＴＥＳＴ」を指す。
【００３４】
次に、作業者が前記遮断器本体をクレードルからＲＡＣＫ位置に移動させるためには、いわゆる引込中／引出中の状態を経る。すなわち、作業者が駆動用ハンドル５０を用いて主ネジ３０を回転させると、主ネジ３０とナット組立体４０により前記遮断器本体がクレードルに近接する方向に直線移動する。ここで、位置表示カム１１０がカムホルダー１２０に対して摺動する。また、カムホルダー１２０の拘束部１２４が位置表示カム１１０のテスト区間１１４ａを過ぎた時点、すなわち、第１可変区間１１４ｄに入る時点から該第１可変区間１１４ｄが終わる時点まで位置表示カム１１０が回転する。そうすると、位置表示カム１１０の表示部１１４に表示された矢印が回転して「ＲＡＣＫ」を指す。この「ＲＡＣＫ」表示は、台車本体２０がガーダー１０に対してＲＡＣＫ区間の分だけ移動する間、すなわち、カムホルダー１２０の拘束部１２４が位置表示カム１１０のＲＡＣＫ区間１１４ｂに位置する間持続される。
【００３５】
次に、作業者が遮断器本体をクレードルに完全に密着させるＲＵＮ位置に移動させるためには、駆動用ハンドル５０を用いて主ネジ３０をさらに回転させる。そうすると、前記遮断器本体がクレードルにさらに近接して位置表示カム１１０が遮断器本体、すなわち、カムホルダー１２０に対してさらに摺動する。この過程で、カムホルダー１２０が位置表示カム１１０の第２可変区間１１４ｅを過ぎるときに位置表示カム１１０はさらに回転して表示部１１３が「ＲＵＮ」を指す。すなわち、前記遮断器本体がクレードルに完全に密着した状態を表示する。
【００３６】
一方、前記遮断器本体がクレードルから再び引き出されてＴＥＳＴ位置に移動する間も、位置表示カム１１０はカムホルダー１２０に対して引込時と反対方向に回転して表示部１１３が位置表示部材１３０の標識記号と共に前記遮断器本体の位置をリアルタイムで表示する。
【００３７】
このようにして、作業者は、前記遮断器本体をクレードルに引き込んだり、クレードルから引き出すとき、その遮断器本体の位置をリアルタイムで判別することができるため、真空遮断器の実行位置を迅速かつ正確に把握することができる。
【符号の説明】
【００３８】
１０    ガーダー
２０    台車本体
３０    主ネジ
４０    ナット組立体
５０    駆動用ハンドル
１１０    位置表示カム
１１１、１１２    固定突部
１１３    表示部
１１４    案内部
１１４ａ    テスト区間
１１４ｂ    ＲＡＣＫ区間
１１４ｃ    ＲＵＮ区間
１１４ｄ    第１可変区間
１１４ｅ    第２可変区間
１２０    カムホルダー
１２１    本体部
１２２    固定部
１２３    摺動部
１２４    拘束部
１３０    位置表示部材
１３１    貫通孔
【図１】
2010213567.tif 000003
【図２】
2010213567.tif 000004
【図３】
2010213567.tif 000005
【図４】
2010213567.tif 000006
【図５】
2010213567.tif 000007
【図６】
2010213567.tif 000008
【図７】
2010213567.tif 000009